(57)【要約】      （修正有）【課題】建築物の内装部材などの普通吸引掃除や壁際やコーナー等、さらに垂直面の壁や備え付けの本棚などの本の側面や本の側面上の細塵、インテリア、部屋のブラインドやカーテン、高い棚上、凹凸や粗度、歪んだ床面、その他のハウスダクトや細かいホコリ、家具の隙間掃除、棚に積み重なる物品表等に付着した細塵、照明器具、エアコンフイルター、フローリングや絨毯の細塵、天井や高いところの吸引掃除等の異なる条件部位にも簡単に対応できる電気掃除機の吸込み口に装着する吸塵用具を提供する。【解決手段】電気掃除機の吸引ノズル口Ｓに着脱自在に挿入する真円後端口１ａから前端開口部に繋続して徐々に円周径を増した円筒状外装本体１を弾性基材で一体に形成し、前端開口部の円周外縁の下方部から真円後端口方向に切設して塵芥吸入口３を形成し、且つ、前端開口部より真円後端開口方向に向けて円筒状外装本体の２分の１ほどの長さの毛状繊維層ブラシ４を備えた吸塵集合部５を設ける。【選択図】図３
0003202557.tif 000002
【実用新案登録請求の範囲】
【請求項１】
真円後端口から前端開口部に繋続して徐々に円周径を増した円筒状外装本体を弾性基材で一体に形成し、この円筒状外装本体の前端開口部の円周外縁の下方部から前記真円後端口方向に切設して塵芥吸入口を形成し、且つ、円筒状外装本体の前端開口部より真円後端開口方向に向けて前記円筒状外装本体の２分の１ほどの長さの毛状繊維層ブラシを備えた吸塵集合部を設けることを特徴とした電気掃除機の吸込み口に装着する吸塵用具。
【請求項２】
真円後端口から前端開口部に繋続して徐々に円周径を増した円筒状外装本体を弾性基材で一体に形成し、その一体形成基材として独立気泡構造の微小な反発弾性に優れたゴム材（ＣＲ）又は、ビニル基材である塩化ビニル樹脂（ＰＶＣ）の熱可塑性樹脂であって、添加する可塑剤の量によって円筒状外装本体の弾性を備えたビニル基材で一体成型したことを特徴とする請求項１記載の電気掃除機の吸込み口に装着する吸塵用具。
【請求項３】
円筒状外装本体の前端開口部の円周外縁の下方部から前記、真円後端口方向に切設して塵芥吸入口を形成し、円筒状外装本体の前端開口部より真円後端開口方向に向けて前記円筒状外装本体の２分の１ほどの長さの毛状繊維層ブラシを備えた吸塵集合部に挿入内装する毛状繊維状ブラシは、多数の繊維状基材を略円筒状に起毛、起立させ、その全表周面を繊維による刷毛の先端部で払い拭うことができることを特徴とする請求項１記載の電気掃除機の吸込み口に装着する吸塵用具。
【考案の詳細な説明】
【技術分野】
【０００１】
この考案は企業、店舗、工場、家庭等に関する建築物の内装部材などの普通吸引掃除や壁際やコーナー等、さらに垂直面の壁や備え付けの本棚などの本の側面や本の側面上の細塵、インテリア、部屋のブラインドやカーテン、高い棚上、凹凸や粗度、歪んだ床面、その他のハウスダクトや細かいホコリ、家具の隙間掃除、棚に積み重なる物品表等に付着した細塵、照明器具、エアコンフイルター、フローリングや絨毯の細塵、天井や高いところの吸引掃除等に関する電気掃除機の吸込み口に装着する吸塵用具に関するものである。
【背景技術】
【０００２】
従来、市場において製造販売されている多くの空気と共に塵芥などを吸い込む（吸引）ことにより清掃する吸引式の電気掃除機には、空気の吸込み口（吸引用ノズル）に吸込みノズルが取り付けられている。この吸込みノズルは、清掃する場所や使用目的などに応じて複数種類のものを用意して交換して使用していた。また広い掃除部位から狭い隙間などの部位はその都度吸引用ノズルを交換する手間を要した。
【０００３】
さらに、比較的広い範囲を清掃する際には、従来は一般的に左右方向に幅の広い吸込み口ノズルを前後に移動操作しながら清掃を行う方法が一般的操作であった。一方、比較的狭い場所や狭い隙間等を清掃する場合は、これに適合する器具、例えば市販のＰＡＮＡＳＯＮＩＣ隙間用大小のノズル、ＬＥＤナビライト等が提供されている。然しこれらの器具も、その都度使用目的毎に器具交換が必要であった。また、棚の上、照明器具、カーテン、エアコンフイルター、フローリング床用掃除機も市販されているが、それぞれに適応するアタッチメントが必要であり清掃作業に面倒な手間がかかった
【先行技術文献】
【特許文献】
【０００４】
【特許文献１】実開閉０７−０３７０１４号公報
【特許文献２】特開２００２−３６９７８３３号公報
【考案の概要】
【考案が解決しようとする課題】
【０００５】
特許文献１記載の電気掃除機の吸込体においては、掃除の際、電気掃除機の吸込みノズル口にブラシ毛を使用しているが、このブラシ毛を取囲む周囲部位が掃除表面より出張って居る為被掃除表面に当接するので塵芥を確実に掻き集めが困難であった。
【０００６】
特許文献２記載の清掃用器具においては、ブラシ毛を構成する繊維層と機材シートのほかに短冊片を設けており、繊維束が清掃に有効に作用しない。また、繊維層が片側にしかなく、片面でしか清掃できないため、清掃作業が煩雑であり、利便性が十分に考慮されていない。さらに、従来、電気掃除機本体の吸引口に挿入して使用する塵芥器具は提供されている。また、基材シートの上下に、それぞれ繊維束から構成された繊維層を設けた清掃用物品が知られている。繊維層は、基材シートに複数本の連続シール線により接合されることが一般的であった。一方で、基材シートの片側に繊維束から成る、双方が線状接着と非連続の点状接着により接合されている清掃用電気掃除機は提案されている。
【課題を解決するための手段】
【０００７】
この考案の目的とするところは、電気掃除機の吸引ノズル口に着脱自在に挿入し、塵芥吸引ノズルを簡素化し、被清掃部面などに含む塵芥を効率よく吸引集塵し、且つ、被清掃部面の異なる条件部位にも簡単に対応できると共に長期に亘って塵芥の吸引性能を持続させて、より清掃効果を上げることが可能な電気掃除機の吸込み口に装着する効能力吸塵用具の提供をするものである。
【０００８】
すなわち、上記の目的を達成する手段として、この考案に係わる効能力吸塵用具は、真円後端口から前端開口部に繋続して徐々に円周径を増した円筒状外装本体を弾性基材で一体に形成し、この円筒状外装本体の前端開口部の円周外縁の下方部から前記、真円後端口方向に切設して塵芥吸入口を形成し、且つ、円筒状外装本体の前端開口部より真円後端開口方向に向けて前記円筒状外装本体の２分の１ほどの長さの毛状繊維層ブラシを備えた吸塵集合部を設けることを特徴としたものである。
【０００９】
この考案において、真円後端口から前端開口部に繋続して徐々に円周径を増した円筒状外装本体を弾性基材で一体に形成したが、その一体形成基材としては、独立気泡構造の微小な反発弾性に優れたゴム材ＣＲ等を加工して実施する。また、ビニル基材にて加工する場合は、塩化ビニル樹脂ＰＶＣで熱可塑性樹脂であって、添加する可塑剤の量によって本考案の円筒状外装本体の弾性を備えたビニル基材として実施できる。
【００１０】
前記、円筒状外装本体の前端開口部の円周外縁の下方部から前記、真円後端口方向に切設して塵芥吸入口を形成し、且つ、円筒状外装本体の前端開口部より真円後端開口方向に向けて前記円筒状外装本体の２分の１ほどの長さの毛状繊維層ブラシを備えた吸塵集合部に挿入内装する毛状繊維状ブラシは、多数の繊維状基材を略円筒状に起毛、起立させ、その全表周面を繊維による刷毛の先端部で払い拭うような作用が生ずる．又その起毛方向も加工時に任意に変更できる。
【考案の効果】
【００１１】
この考案に係る電気掃除機の吸込み口に装着する効能力吸塵用具によれば、家庭等に関する建築物の内装部材などの普通吸引掃除や壁際やコーナー等、さらに垂直面の壁や備え付けの本棚などの本の側面や本の側上の細塵、インテリア、部屋のブラインドやカーテン、高い棚上、凹凸や粗度、歪んだ床面、その他のハウスダクトや細かいホコリ、家具の隙間掃除、棚に積み重なる物品表等に付着した細塵、照明器具、エアコンフイルター、フローリングや絨毯の細塵、天井や高いところの吸引掃除等、企業、店舗、工場等に関する電気掃除機の吸込み口に装着する吸塵用具に関するもので、多くの産業用効果が期待できる。
【図面の簡単な説明】
【００１２】
【図１】この考案に係わる電気掃除機の吸込み口に装着する効能力吸塵用具の鳥瞰斜視図である。
【図２】この考案に係わる電気掃除機の吸込み口に装着する効能力吸塵用具の要部を省略した底面図である。
【図３】この考案に係わる電気掃除機の吸込み口に装着する効能力吸塵用具の使用状態を示す横断面図である。
【考案を実施するための形態】
【００１３】
以下、この考案の電気掃除機の吸込み口に装着する効能力吸塵用具について、その好ましい一実施形態に基き図面を参照しながら説明する。
【００１４】
この実施形態における構成態様とするところは、電気掃除機の吸引ノズル口（Ｓ）に着脱自在に挿入し、塵芥吸引ノズルを簡素化し、被清掃部面などに含む塵芥を効率よく吸引集塵し、且つ、被清掃部面の異なる条件部位にも簡単に対応できると共に長期に亘って塵芥の吸引性能を持続させて、より清掃効果を上げることが可能な電気掃除機の吸込み口に装着する効能力吸塵用具の提供をするものである。
【００１５】
すなわち、上記の目的を達成する手段として、この考案に係わる効能力吸塵用具は、真円後端口（１ａ）から前端開口部（１ｂ）に繋続して徐々に円周径を増した円筒状外装本体（１）を弾性基材で一体に形成し、この円筒状外装本体（１）の前端開口部（１ｂ）の
円周外縁（２）の下方部から前記、真円後端口（１ａ）方向に切設して塵芥吸入口（３）を形成し、且つ、円筒状外装本体（１）の前端開口部（１ｂ）より真円後端開口（１ａ）方向に向けて前記円筒状外装本体（１）の２分の１ほどの長さの毛状繊維層ブラシ（４）を備えた吸塵集合部（５）を設けて構成してある。
【００１６】
前記、真円後端口（１ａ）から前端開口部（１ｂ）に繋続して徐々に円周径を増した円筒状外装本体（１）は弾性基材で一体に形成したが、その一体形成基材としては、独立気泡構造の微小な反発弾性に優れたゴム材ＣＲ等を加工して実施する。また、ビニル基材にて加工する場合は、塩化ビニル樹脂ＰＶＣで熱可塑性樹脂であって、添加する可塑剤の量によって、この考案の円筒状外装本体の弾性を備えたビニル基材によって加工、実施する  
【００１７】
そして、前記円筒状外装本体（１）の前端開口部（１ｂ）の円周外縁（２）の下方部から前記、真円後端口（１ａ）方向に切設して塵芥吸入口（３）を形成し、且つ、円筒状外装本体（１）の前端開口部（１ｂ）より真円後端開口方向に向けて前記円筒状外装本体（１）の２分の１ほどの長さの毛状繊維層ブラシを備えた吸塵集合部（５）に挿入内装する毛状繊維状ブラシ（４）は、多数の繊維状基材を略円筒状に起毛、起立させ、その全表周面を繊維による刷毛の先端部で左右に払い拭うような操作をして被掃除面の塵芥を吸収する。又その起毛方向や太さ（円周方向の長さ、起毛の大きさ）も加工時に任意に変更できる。
【００１８】
この円筒状外装本体（１）の２分の１ほどの長さの毛状繊維層ブラシを備えた吸塵集合部（５）は、円筒状外装本体（１）と弾性を有する同質の一体素材で形成してあるため、実際の清掃作業のとき、当該吸塵集合部（５）は円筒状外装本体（１）の外方（清掃作業により左右や外方円周方からの）からの押圧外力に対しても反発して使用できる。また、吸集合部塵（５）の弾性により左右、上下方向の柔軟性を有しており、清掃対象面に沿って追髄が容易になるし、その結果、微細な塵,ホコリ等の捕捉効果が高くなる。
【００１９】
尚，図において（６）は、円筒状外装本体（１）に設けた前記円筒状外装本体（１）の前端開口部（１ｂ）より真円後端開口方向に向けて前記円筒状外装本体（１）の２分の１ほどの長さの毛状繊維層ブラシを備えた吸塵集合部（５）に挿入内装する毛状繊維状ブラシ（４）の固定部材であり、（７）は円筒状外装本体（１）の前端開口部（１ｂ）の開口部に前毛状繊維ブラシ（４）を収束固持する芯線部材である。（Ｓ）は既存の電気掃除機の吸引ノズルである。
【符号の説明】
【００２０】
Ｓ  吸引ノズル
１  円筒状外装本体
２  円筒状外装本体の前端開口部の円周外縁
３  塵芥吸入口
４  毛状繊維状ブラシ
５  吸塵集合部
６  固定部材
７  毛状繊維ブラシを収束固持する芯線部材
【図１】
0003202557.tif 000003
【図２】
0003202557.tif 000004
【図３】
0003202557.tif 000005